(57)【特許請求の範囲】
【請求項１】
表示電極を複数形成した基板とデータ電極を前記表示電極に対して交差するように複数形成した基板とを対向配置させることで内部に放電セルを形成したプラズマディスプレイパネルと、前記それぞれの電極を駆動するための電極駆動部とを具備し、前記電極駆動部が、電極を駆動するための駆動電圧波形を生成する駆動回路部と、前記駆動回路部に駆動用電源電圧を供給する駆動用電源部と、前記駆動用電源部から供給する駆動用電源電圧の異常を検出する異常検出部と、前記異常検出部を構成するそれぞれの回路に回路用電源電圧を供給する回路用電源部とを有したプラズマディスプレイ装置であって、
前記異常検出部は、
前記駆動用電源部の駆動用電源電圧を分圧し、分圧した電圧を検出電圧として出力する分圧回路と、
第１の定電圧および第２の定電圧を生成する定電圧回路と、
前記分圧回路からの検出電圧と前記定電圧回路からの第１の定電圧とを比較し、前記検出電圧が前記第１の定電圧以上になるとき、電圧変化を検出したとする第１の検出信号を出力する第１のコンパレータと、
前記分圧回路からの検出電圧と前記定電圧回路からの第２の定電圧とを比較し、前記検出電圧が前記第２の定電圧以下になるとき、電圧変化を検出したとする第２の検出信号を出力する第２のコンパレータと、
前記第１の検出信号および前記第２の検出信号の少なくとも一方の信号が電圧変化の検出を示すとき、異常を検出したと判定し、電圧異常検出信号を出力する判定回路と、
一端が前記判定回路の出力に接続され、他端が前記回路用電源部の出力の一方に接続され、前記判定回路の出力に重畳されたノイズを除去するためのキャパシタと、
一端が前記判定回路の出力に接続され、他端が前記回路用電源部の出力の他方に接続され、前記判定回路の出力電圧を所定の電圧範囲に制限するためのダイオードとを備え、
前記判定回路は、前記第１のコンパレータの出力にベースが接続され前記回路用電源部の出力の前記一方にエミッタが接続された第１のトランジスタと、前記第２のコンパレータの出力にベースが接続され前記回路用電源部の出力の前記一方にエミッタが接続された第２のトランジスタとを有し、前記第１のトランジスタおよび前記第２のトランジスタのコレクタ同士を接続して前記判定回路の出力とし、
前記第１のコンパレータが前記第１の検出信号を出力するときには前記第１のトランジスタがオン状態となり、前記第１のコンパレータが前記第１の検出信号を出力しないときには前記第１のトランジスタがオフ状態となり、
前記第２のコンパレータが前記第２の検出信号を出力するときには前記第２のトランジスタがオン状態となり、前記第２のコンパレータが前記第２の検出信号を出力しないときには前記第２のトランジスタがオフ状態となり、
前記異常検出部において、前記キャパシタによりノイズを除去されかつ前記ダイオードにより電圧制限された前記判定回路の電圧異常検出信号が異常の検出を示すとき、前記電極駆動部の駆動動作を停止するように構成したことを特徴とするプラズマディスプレイ装置。
【請求項２】
表示電極を複数形成した基板とデータ電極を前記表示電極に対して交差するように複数形成した基板とを対向配置させることで内部に放電セルを形成したプラズマディスプレイパネルと、前記それぞれの電極を駆動するための電極駆動部とを具備し、前記電極駆動部が、電極を駆動するための駆動電圧波形を生成する駆動回路部と、前記駆動回路部に駆動用電源電圧を供給する駆動用電源部と、前記駆動用電源部から供給する駆動用電源電圧の異常を検出する異常検出部と、前記異常検出部を構成するそれぞれの回路に回路用電源電圧を供給する回路用電源部とを有したプラズマディスプレイ装置であって、
前記異常検出部は、
前記駆動用電源部の駆動用電源電圧を分圧し、分圧した電圧を検出電圧として出力する分圧回路と、
第１の定電圧および第２の定電圧を生成する定電圧回路と、
前記回路用電源部の出力の一方にエミッタが接続されたトランジスタによるオープンコレクタ出力を有する第１および第２のコンパレータと、
一端が前記第１のコンパレータの出力と前記第２のコンパレータの出力とを接続した点であるｄ端に接続され、他端が前記回路用電源部の出力の前記一方に接続され、前記ｄ端に重畳されたノイズを除去するためのキャパシタと、
一端が前記ｄ端に接続され、他端が前記回路用電源部の出力の他方に接続され、前記ｄ端の電圧を所定の電圧範囲に制限するためのダイオードとを備え、
前記第１のコンパレータは、前記分圧回路からの検出電圧と前記定電圧回路からの第１の定電圧とを比較し、前記検出電圧が前記第１の定電圧以上になるとき出力がローレベルとなり、前記第２のコンパレータは、前記分圧回路からの検出電圧と前記定電圧回路からの第２の定電圧とを比較し、前記検出電圧が前記第２の定電圧以下になるとき出力がローレベルとなり、前記ｄ端がローレベルとなるとき異常を示すものであり、
前記異常検出部において、前記キャパシタによりノイズを除去されかつ前記ダイオードにより電圧制限された前記ｄ端の電圧が異常を示すとき、前記電極駆動部の駆動動作を停止するように構成したことを特徴とするプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
プラズマディスプレイパネル（以下、「パネル」と呼ぶ）は、大画面、薄型、軽量であることを特徴とする視認性に優れた表示デバイスである。このパネルを用いたプラズマディスプレイ装置を安全に使用するために、例えば部品の破壊などの異常が万一発生した場合にその異常を検出しプラズマディスプレイ装置の電源を遮断するなど、様々な保護回路が提案されている。
【０００３】
特に、プラズマディスプレイ装置では、パネルの各電極に高電圧の駆動パルスを供給して表示動作を行うため高電圧電源が必要である。これとともに、このような高電圧に基づく異常からプラズマディスプレイ装置を確実に保護するために、高電圧電源の電源電圧の変動を監視し、電源電圧が正常でない場合にパネルへの駆動動作を適切に制御する必要がある。
【０００４】
このような高電圧電源に保護回路を備えたプラズマディスプレイ装置として、走査パルス発生回路に印加する高電源電圧の異常を検出してパネルの駆動回路の動作を停止させるような保護回路を設けたプラズマディスプレイ装置が提案されている。また、このような従来の保護回路の一例として、互に直列に接続された第１のツェナダイオードおよび第２のツェナダイオードを含む分圧回路と、分圧回路に接続されるトランジスタとを具備し、トランジスタのベース端子には第１のツェナダイオードおよび第２のツェナダイオードの両者によりドロップされた後の電圧が印加され、トランジスタのエミッタ−コレクタ間と第１のツェナダイオードとが高電源電圧に対し直列に接続され、トランジスタのコレクタ電圧に基づいて電源電圧の異常を検出するような構成の異常検出回路を有した保護回路が提案されている（例えば、特許文献１参照）。
【特許文献１】特開２００４−３０９６０６号公報
【発明の開示】
【発明が解決しようとする課題】
【０００５】
しかしながら、上述した従来例のように、ツェナダイオードを利用した分圧回路とトランジスタの特性とを組み合わせて電圧の異常を検出しようとする場合、ツェナダイオードの電圧対電流特性のばらつきやトランジスタ特性のばらつきなどにより、異常と判定するための電圧許容範囲を示す上限電圧値や下限電圧値が正確に設定できないという課題があった。
【０００６】
すなわち、従来例のような構成の場合、例えば、本来は定電圧を生成するための定電圧素子であるツェナダイオードの電圧対電流特性をスイッチング特性として利用している。このような電圧対電流特性はある程度の傾きを持った特性であるため、急峻なスイッチング特性が得られず、その結果、スイッチングするための判定レベルがばらつくこととなる。このため、この判定レベルに対応した上限電圧値や下限電圧値もばらつくこととなり、さらに、温度変化や経年変化などにも影響されやすくなる。
【０００７】
また逆に、正確に設定しようとすると、例えば可変抵抗器などと組み合わせた構成とし、可変抵抗器の調整により所望の上限電圧値や下限電圧値に設定するなどの必要が生じ、可変抵抗器などのコストアップとともに、製造工程などにおいて調整工程が増えるなどの課題があった。
【０００８】
このように異常と判定するため、許容範囲である上限電圧値や下限電圧値が正確に設定できないと、異常であっても正常と判定される可能性もあり、例えば高電圧の異常が万一発生した場合であってもプラズマディスプレイ装置の電源を遮断するなどの適切な保護ができなくなるおそれがあった。
【０００９】
本発明は、上記課題を解決するためになされたもので、異常と判定するために利用する上限電圧値や下限電圧値を正確に設定できる高電圧の異常検出機能を有した保護機能を備えるとともに、この異常検出機能においても、容易に実現可能な高電圧からの保護を図る機能を備えた高電圧プラズマディスプレイ装置を提供することを目的とする。
【課題を解決するための手段】
【００１０】
上述したような課題を解決するために、本発明のプラズマディスプレイ装置は、表示電極を複数形成した基板とデータ電極を表示電極に対して交差するように複数形成した基板とを対向配置させることで内部に放電セルを形成したパネル部と、それぞれの電極を駆動するための電極駆動部とを具備し、電極駆動部が、電極を駆動するための駆動電圧波形を生成する駆動回路部と、駆動回路部に駆動用電源電圧を供給する駆動用電源部と、駆動用電源部から供給する駆動用電源電圧の異常を検出する異常検出部と、異常検出部を構成するそれぞれの回路に回路用電源電圧を供給する回路用電源部とを有する。さらに、本発明のプラズマディスプレイ装置の異常検出部は、駆動用電源部の駆動用電源電圧を分圧し、分圧した電圧を検出電圧として出力する分圧回路と、第１の定電圧および第２の定電圧を生成する定電圧回路と、分圧回路からの検出電圧と定電圧回路からの第１の定電圧とを比較し、検出電圧が第１の定電圧以上になるとき、電圧変化を検出したとする第１の検出信号を出力する第１のコンパレータと、分圧回路からの検出電圧と定電圧回路からの第２の定電圧とを比較し、検出電圧が第２の定電圧以下になるとき、電圧変化を検出したとする第２の検出信号を出力する第２のコンパレータと、第１の検出信号および第２の検出信号の少なくとも一方の信号が電圧変化の検出を示すとき、異常を検出したと判定し、電圧異常検出信号を出力する判定回路と、一端が判定回路の出力に接続され、他端が回路用電源部の出力の一方に接続され、判定回路の出力に重畳されたノイズを除去するためのキャパシタと、一端が判定回路の出力に接続され、他端が回路用電源部の出力の他方に接続され、判定回路の出力電圧を所定の電圧範囲に制限するためのダイオードとを備える。判定回路は、第１のコンパレータの出力にベースが接続され回路用電源部の出力の一方にエミッタが接続された第１のトランジスタと、第２のコンパレータの出力にベースが接続され回路用電源部の出力の一方にエミッタが接続された第２のトランジスタとを有し、第１のトランジスタおよび第２のトランジスタのコレクタ同士を接続して判定回路の出力としている。第１のコンパレータが第１の検出信号を出力するときには第１のトランジスタがオン状態となり、第１のコンパレータが第１の検出信号を出力しないときには第１のトランジスタがオフ状態となる。第２のコンパレータが第２の検出信号を出力するときには第２のトランジスタがオン状態となり、第２のコンパレータが第２の検出信号を出力しないときには第２のトランジスタがオフ状態となる。そして、本発明のプラズマディスプレイ装置は、異常検出部においてキャパシタによりノイズを除去されかつダイオードにより電圧制限された判定回路の電圧異常検出信号が異常の検出を示すとき、電極駆動部の駆動動作を停止させる構成である。
【００１１】
また、本発明のプラズマディスプレイ装置は、表示電極を複数形成した基板とデータ電極を表示電極に対して交差するように複数形成した基板とを対向配置させることで内部に放電セルを形成したパネル部と、それぞれの電極を駆動するための電極駆動部とを具備し、電極駆動部が、電極を駆動するための駆動電圧波形を生成する駆動回路部と、駆動回路部に駆動用電源電圧を供給する駆動用電源部と、駆動用電源部から供給する駆動用電源電圧の異常を検出する異常検出部と、異常検出部を構成するそれぞれの回路に回路用電源電圧を供給する回路用電源部とを有する。さらに、本発明のプラズマディスプレイ装置の異常検出部は、駆動用電源部の駆動用電源電圧を分圧し、分圧した電圧を検出電圧として出力する分圧回路と、第１の定電圧および第２の定電圧を生成する定電圧回路と、回路用電源部の出力の一方にエミッタが接続されたトランジスタによるオープンコレクタ出力を有する第１および第２のコンパレータと、一端が第１のコンパレータの出力と第２のコンパレータの出力とを接続した点であるｄ端に接続され、他端が回路用電源部の出力の一方に接続され、ｄ端に重畳されたノイズを除去するためのキャパシタと、一端がｄ端に接続され、他端が回路用電源部の出力の他方に接続され、ｄ端の電圧を所定の電圧範囲に制限するためのダイオードとを備える。第１のコンパレータは、分圧回路からの検出電圧と定電圧回路からの第１の定電圧とを比較し、検出電圧が第１の定電圧以上になるとき出力がローレベルとなり、第２のコンパレータは、分圧回路からの検出電圧と定電圧回路からの第２の定電圧とを比較し、検出電圧が第２の定電圧以下になるとき出力がローレベルとなり、ｄ端がローレベルとなるとき異常を示すものである。そして、本発明のプラズマディスプレイ装置は、異常検出部において、キャパシタによりノイズを除去されかつダイオードにより電圧制限されたｄ端の電圧が異常を示すとき、電極駆動部の駆動動作を停止させる構成である。
【発明の効果】
【００１３】
本発明のプラズマディスプレイ装置によれば、異常と判定するために利用する上限電圧値や下限電圧値に対応した判定レベルが安定した動作状態の定電圧回路により決定されるとともに、コンパレータによる急峻なスイッチング特性により判定レベルを超えたかどうかを判定できるため、異常と判定するための上限電圧値や下限電圧値を正確に設定できる。さらに、判定回路の出力に接続されたキャパシタにより、高電圧パルスなどの影響によるノイズを除去できるとともに、判定回路の出力に接続されたダイオードにより判定回路の出力電圧を所定の電圧範囲に制限できるため、判定回路の出力電圧が周辺の高電圧の影響を受けて異常に上昇することを防止でき、判定回路を含めて異常検出部を構成する回路素子を保護することができる。よって、本発明のプラズマディスプレイ装置によれば、上限電圧値や下限電圧値を正確に設定できる高電圧の異常検出機能を有した保護機能を備えるとともに、この異常検出機能においても、容易に実現可能な高電圧からの保護を図る機能を備えた高電圧プラズマディスプレイ装置を提供することができる。
【発明を実施するための最良の形態】
【００１４】
以下、本発明の実施の形態について図面を参照しながら詳細に説明する。
【００１５】
（実施の形態）
図１は、本発明の実施の形態のプラズマディスプレイ装置におけるパネルの分解斜視図である。パネル１０は、ガラス製の前面基板２１と背面基板３１とを対向配置して、その間に多数の放電セルを形成するように構成されている。前面基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には絶縁体層３３で覆われた複数のデータ電極３２が設けられ、絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、電極の交差するそれぞれの位置に放電セルが形成されている。放電セルには放電ガスとして、例えばネオンとキセノンの混合ガスが封入されている。なお、パネル１０の構造は上述したものに限られるわけではなく、例えば井桁状の隔壁３４の代わりにストライプ状の隔壁を備えたものであってもよい。
【００１６】
図２は本発明の実施の形態のプラズマディスプレイ装置におけるパネル１０の電極配列図である。行方向にｎ本の走査電極２２１〜２２ｎ（図１の走査電極２２）およびｎ本の維持電極２３１〜２３ｎ（図１の維持電極２３）が配列され、列方向にｍ本のデータ電極３２１〜３２ｍ（図１のデータ電極３２）が配列されている。そして、１対の走査電極２２ｉおよび維持電極２３ｉ（ｉ＝１〜ｎ）と１つのデータ電極３２ｊ（ｊ＝１〜ｍ）とが交差した部分に放電セルが形成され、放電セルは放電空間内にｍ×ｎ個形成されている。
【００１７】
図２に示すような各電極を駆動する手法として、１フィールド期間を複数のサブフィールドに分割したうえで、発光させるサブフィールドの組み合わせによって階調表示を行う方法が一般的である。このような手法はサブフィールド法と呼ばれており、本実施の形態でもこのようなサブフィールド法に基づき各電極を駆動するような構成例を挙げて説明する。
【００１８】
図３は本発明の実施の形態のプラズマディスプレイ装置のブロック図である。プラズマディスプレイ装置１００は、パネル部としてのパネル１０、画像信号処理部４２、データ電極駆動部４３、走査電極駆動部４４、維持電極駆動部４６、タイミング発生部４８および各回路ブロックに必要な電源を供給する電源部（図示せず）を備えている。また、データ電極駆動部４３、走査電極駆動部４４および維持電極駆動部４６により電極駆動部を構成している。
【００１９】
画像信号処理部４２は、画像信号ｓｉｇを各放電セルのサブフィールドごとの発光・非発光を示す画像データに変換する。データ電極駆動部４３は、サブフィールドごとの画像データを各データ電極３２に対応する信号に変換し、各データ電極３２を駆動する。走査電極駆動部４４は、各走査電極２２に所定の駆動電圧波形を供給し、各走査電極２２を駆動する。維持電極駆動部４６は、各維持電極２３に所定の駆動電圧波形を供給し、各維持電極２３を駆動する。タイミング発生部４８は、水平同期信号Ｈおよび垂直同期信号Ｖをもとにして各電極駆動部の駆動電圧波形を制御する各種のタイミング信号を発生し、各電極駆動部へ供給する。
【００２０】
図４は、本発明の実施の形態のプラズマディスプレイ装置におけるパネル１０の各電極に印加する駆動電圧波形図である。図４に示すように、本プラズマディスプレイ装置では、サブフィールド法に基づき、初期化期間、書込み期間、および維持期間を含む複数のサブフィールドにより１フィールド期間を構成している。さらに、本プラズマディスプレイ装置では、各サブフィールドごとにデータ電極、走査電極および維持電極に、図４に示すような駆動電圧波形の駆動信号を印加することで、放電セルを選択的に発光させて階調表示を行う。
【００２１】
以下、図４を用いて、パネル１０を駆動するための駆動電圧波形とその波形に応じたパネルの基本的な動作について説明する。
【００２２】
まず、初期化期間では、データ電極３２１〜３２ｍおよび維持電極２３１〜２３ｎを電圧０ボルトに保持し、走査電極２２１〜２２ｎに対して放電開始電圧以下となる電圧Ｖｉ１から放電開始電圧を超える電圧Ｖｉ２に向かって緩やかに上昇するランプ電圧を印加する。すると、全ての放電セルにおいて１回目の微弱な初期化放電を起こし、走査電極２２１〜２２ｎ上に負の壁電圧が蓄えられるとともに、維持電極２３１〜２３ｎ上およびデータ電極３２１〜３２ｍ上に正の壁電圧が蓄えられる。ここで、電極上の壁電圧とは、電極を覆う誘電体層あるいは蛍光体層上に蓄積した壁電荷により生じる電圧をあらわす。その後、維持電極２３１〜２３ｎを正の電圧Ｖｅに保ち、走査電極２２１〜２２ｎに電圧Ｖｉ３から電圧Ｖｉ４に向かって緩やかに下降するランプ電圧を印加する。すると、全ての放電セルにおいて２回目の微弱な初期化放電を起こし、走査電極２２１〜２２ｎ上の壁電圧と維持電極２３１〜２３ｎ上の壁電圧との電圧差が弱められ、データ電極３２１〜３２ｍ上の壁電圧も書込み動作に適した値に調整される。このようにして、全ての放電セルにおいて初期化の放電が実行される。
【００２３】
続く書込み期間では、走査電極２２１〜２２ｎを一旦、書込バイアス電圧Ｖｓｃに保持する。次に、データ電極３２１〜３２ｍのうち、１行目に表示すべき放電セルのデータ電極３２ｋに正の書込パルス電圧Ｖｄを印加するとともに、１行目の走査電極２２１に走査パルス電圧Ｖａを印加する。このとき、データ電極３２ｋと走査電極２２１との交差部の電圧は、外部印加電圧（Ｖｄ−Ｖａ）にデータ電極３２ｋ上の壁電圧および走査電極２２１上の壁電圧の大きさが加算されたものとなり、放電開始電圧を超える。そして、データ電極３２ｋと走査電極２２１との間および維持電極２３１と走査電極２２１との間に書込み放電が起こり、この放電セルの走査電極２２１上に正の壁電圧が蓄積され、維持電極２３１上に負の壁電圧が蓄積され、データ電極３２ｋ上にも負の壁電圧が蓄積される。このようにして、１行目に表示すべき放電セルで書込み放電を起こして各電極上に壁電圧を蓄積する書込み動作が行われる。一方、正の書込パルス電圧Ｖｄを印加しなかったデータ電極と走査電極２２１との交差部の電圧は放電開始電圧を超えないので、書込み放電は発生しない。以上の書込み動作をｎ行目の放電セルに至るまで順次行い、書込み期間が終了する。
【００２４】
続く維持期間では、まず、維持電極２３１〜２３ｎを電圧０ボルトに戻し、走査電極２２１〜２２ｎに正の維持パルス電圧Ｖｓを印加する。このとき、書込み放電を起こした放電セルにおいては、走査電極２２ｉ上と維持電極２３ｉ上との間の電圧は、維持パルス電圧Ｖｓに、走査電極２２ｉ上および維持電極２３ｉ上の壁電圧の大きさが加算されたものとなり、放電開始電圧を超える。そして、走査電極２２ｉと維持電極２３ｉとの間に維持放電が起こり、走査電極２２ｉ上に負の壁電圧が蓄積され、維持電極２３ｉ上に正の壁電圧が蓄積される。このときデータ電極３２ｋ上にも正の壁電圧が蓄積される。書込み期間において書込み放電が起きなかった放電セルでは維持放電は発生せず、初期化期間の終了時における壁電圧状態が保持される。続いて、走査電極２２１〜２２ｎを電圧０ボルトに戻し、維持電極２３１〜２３ｎに正の維持パルス電圧Ｖｓを印加する。すると、維持放電を起こした放電セルでは、維持電極２３ｉ上と走査電極２２ｉ上との間の電圧は放電開始電圧を超えるので、再び維持電極２３ｉと走査電極２２ｉとの間に維持放電が起こり、維持電極２３ｉ上に負の壁電圧が蓄積され、走査電極２２ｉ上に正の壁電圧が蓄積される。以降同様に、走査電極２２１〜２２ｎと維持電極２３１〜２３ｎとに交互に維持パルスを印加することにより、書込み期間において書込み放電を起こした放電セルでは維持放電が継続して行われる。なお、維持期間の最後には走査電極２２１〜２２ｎと維持電極２３１〜２３ｎとの間にいわゆる細幅パルスを印加して、データ電極３２ｋ上の正の壁電荷を残したまま、走査電極２２１〜２２ｎおよび維持電極２３１〜２３ｎ上の壁電圧を消去している。こうして維持期間における維持動作が終了する。
【００２５】
続いて、第２サブフィールドでの初期化期間では、維持放電を行った放電セルのみ初期化する選択初期化を実行する。選択初期化期間では、維持電極２３１〜２３ｎを電圧Ｖｅに保持し、データ電極３２１〜３２ｍを電圧０ボルトに保持し、走査電極２２１〜２２ｎに電圧Ｖｉ３’から電圧Ｖｉ４に向かって緩やかに下降するランプ電圧を印加する。すると前のサブフィールドの維持期間で維持放電を行った放電セルでは、微弱な初期化放電が発生し、走査電極２２ｉ上と維持電極２３ｉ上との壁電圧差が弱められ、データ電極３２ｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。
【００２６】
以下、第２サブフィールドでの書込み期間および維持期間では第１サブフィールドと同様の動作を実行し、さらに、それに続くサブフィールドでは第２サブフィールドと同様の動作を実行する。本プラズマディスプレイ装置は、サブフィールドごとにこのような駆動電圧波形をそれぞれの電極に供給することで各電極を駆動し、このような駆動動作を実行することで画像に応じた放電セルを発光させパネル上に画像を表示する。
【００２７】
次に、図４で示したような駆動電圧波形を生成する走査電極駆動部４４および維持電極駆動部４６の構成について説明する。
【００２８】
図５は本発明の実施の形態のプラズマディスプレイ装置の走査電極駆動部４４および維持電極駆動部４６の構成を示す回路図である。走査電極駆動部４４は、走査電極を駆動するための初期化期間における駆動電圧波形を生成する初期化電圧発生回路５０と、走査電極を駆動するための維持期間における駆動電圧波形を生成する走査電極側維持パルス発生回路（以下、適宜、「維持パルス発生回路」と呼ぶ）６０と、走査電極を駆動するための書込み期間における駆動電圧波形を生成する走査パルス発生回路７０と、走査パルス発生回路７０に駆動用電源電圧としての書込バイアス電圧Ｖｓｃを供給する書込バイアス電源７３と、書込バイアス電源７３から供給する書込バイアス電圧Ｖｓｃの異常を検出する異常検出回路７１とを備える。
【００２９】
本実施の形態では、このように、電極駆動部としての走査電極駆動部４４が、電極を駆動するための高電圧の駆動電圧波形を生成する駆動回路部としての走査パルス発生回路７０と、走査パルス発生回路７０に書込バイアス電圧Ｖｓｃを供給する駆動用電源部としての書込バイアス電源７３と、書込バイアス電源７３から供給する書込バイアス電圧Ｖｓｃの異常を検出する異常検出部しての異常検出回路７１とを有したプラズマディスプレイ装置の一例を挙げて説明する。
【００３０】
また、維持電極駆動部４６は、維持電極側維持パルス発生回路（以下、適宜、「維持パルス発生回路」と呼ぶ）９０およびＶｅ電圧印加回路９５を備え、パネル１０の維持電極２３１〜２３ｎのそれぞれに共通に接続されている。
【００３１】
図５において、走査電極駆動部４４の初期化電圧発生回路５０は、ミラー積分回路５１およびミラー積分回路５２を備える。ミラー積分回路５１は、走査パルス発生回路７０の基準電位Ａをランプ状に上昇させ、ミラー積分回路５２は基準電位Ａをランプ状に降下させる。また、維持パルス発生回路６０は、スイッチ６１およびスイッチ６２を備える。スイッチ６１は、走査パルス発生回路７０の基準電位Ａを維持パルス電圧Ｖｓに接続し、スイッチ６２は基準電位Ａを接地電位に接続する。なお、維持パルス発生回路６０には電力回収回路６３をさらに備えていてもよい。
【００３２】
走査パルス発生回路７０は、基準電位Ａを負の走査パルス電圧Ｖａに接続するためのスイッチ７２と、書込バイアス電源７３から供給された書込バイアス電圧Ｖｓｃと走査パルス電圧Ｖａとを所定の期間切替えて、ｎ本の走査電極２２１〜２２ｎのそれぞれに走査パルス信号を印加するためのｎ個のスイッチング回路８０１〜８０ｎと、スイッチング回路８０１〜８０ｎを制御するための走査制御回路８５１〜８５ｎと、走査制御回路８５１〜８５ｎに電源電圧Ｖｄｄ２を印加する走査制御電源ＶＺとを備えている。そして、それぞれのスイッチング回路８０ｉは、直列に接続されたスイッチ８１ｉおよびスイッチ８２ｉと、スイッチ８１ｉおよびスイッチ８２ｉのそれぞれに並列に接続されたダイオード８３ｉおよびダイオード８４ｉとを備えている。そしてそれらスイッチング回路８０１〜８０ｎのそれぞれは書込バイアス電源７３に並列に接続され、走査制御回路８５１〜８５ｎのそれぞれは走査制御電源ＶＺに並列に接続されている。
【００３３】
書込バイアス電源７３は、その電圧出力の一方が基準電位Ａに接続されるとともに、他方がスイッチング回路８０１〜８０ｎのそれぞれに電源ラインとして接続され、この電源ラインを通してスイッチング回路８０１〜８０ｎのそれぞれに書込バイアス電圧Ｖｓｃを供給する。また、この書込バイアス電圧Ｖｓｃは異常検出回路７１にも供給される。
【００３４】
異常検出回路７１には、書込バイアス電源７３からの書込バイアス電圧Ｖｓｃが供給されるとともに、異常検出回路用電源ＶＤから異常検出回路７１を動作させるため電源電圧Ｖｄｄ１が供給される。また、異常検出回路７１は、書込バイアス電圧Ｖｓｃにおいて電圧異常が発生したことを示す異常検出信号ＳＯＳを出力する。なお、異常検出回路７１については、以下で詳細に説明する。
【００３５】
一方、図５に示す維持電極駆動部４６において、Ｖｅ電圧印加回路９５は、維持電極２３１〜２３ｎに電圧Ｖｅを供給するためのスイッチ９６を備えている。また、維持パルス発生回路９０は、維持パルス発生回路６０と同様に、スイッチ９１およびスイッチ９２を備え、スイッチ９１は維持電極２３１〜２３ｎを維持パルス電圧Ｖｓに接続し、スイッチ９２は維持電極２３１〜２３ｎを接地電位に接続する。なお、維持パルス発生回路９０には電力回収回路９３をさらに備えていてもよい。
【００３６】
以下、このように構成された本プラズマディスプレイ装置の各サブフィールドにおいて、本プラズマディスプレイ装置が正常に動作する場合の駆動動作について説明する。
【００３７】
まず、図４に示す第１サブフィールドの初期化期間では、維持電極駆動部４６のスイッチ９２をオンにして維持電極２３１〜２３ｎに電圧０ボルトを印加するとともに、走査電極駆動部４４のミラー積分回路５１を用いて電圧Ｖｉ１から電圧Ｖｉ２に向かって緩やかに上昇するランプ電圧を基準電位Ａに印加する。このとき、走査パルス発生回路７０のスイッチング回路８０１〜８０ｎのスイッチ８１１〜８１ｎはオフ、スイッチ８２１〜８２ｎはオンにしておく。すると、図４に示すように電圧Ｖｉ１から電圧Ｖｉ２に向かって緩やかに上昇するランプ電圧が走査電極２２１〜２２ｎに印加される。その後、維持電極駆動部４６のスイッチ９２をオフ、スイッチ９６をオンにして維持電極２３１〜２３ｎに電圧Ｖｅを印加するとともに、走査電極駆動部４４のミラー積分回路５２を用いて電圧Ｖｉ３から電圧Ｖｉ４に向かって緩やかに下降するランプ電圧を走査電極２２１〜２２ｎに印加する。すると、上述したように、各放電セルで微弱な初期化放電が発生し、続く書込み動作に必要な壁電荷を各電極上に形成する。なお、初期化期間の動作としては、図４の第２サブフィールドの初期化期間に示したように、走査電極２２１〜２２ｎに対して緩やかに下降するランプ電圧を印加するだけでもよい。
【００３８】
次に、書込み期間では、まず、走査電極駆動部４４の走査パルス発生回路７０のスイッチ７２をオンにして走査パルス発生回路７０の基準電位Ａを走査パルス電圧Ｖａにする。また、書込バイアス電源７３からは、基準電位Ａに対して書込バイアス電圧Ｖｓｃだけ高い電圧が出力され、走査パルス発生回路７０のスイッチング回路８０１〜８０ｎのそれぞれに供給される。このように、書込み期間においては、基準電位Ａに走査パルス電圧Ｖａが印加され、書込バイアス電源７３からスイッチング回路８０１〜８０ｎに書込バイアス電圧Ｖｓｃが印加された状態となる。これとともに、書込み期間の開始時において、スイッチング回路８０１〜８０ｎのスイッチ８１１〜８１ｎをオン、スイッチ８２１〜８２ｎをオフにする。これによって基準電位Ａに書込バイアス電圧Ｖｓｃだけ加算された電圧、すなわち図４に示すような書込バイアス電圧Ｖｓｃが、スイッチ８１１〜８１ｎを介して走査電極２２１〜２２ｎに印加されることとなる。次に、１行目の走査電極２２１に対応するスイッチング回路８０１のスイッチ８１１をオフ、スイッチ８２１をオンにする。これによって、１行目の走査電極２２１には、書込バイアス電圧Ｖｓｃに対して負の走査パルス電圧Ｖａが印加される。このとき、発光すべき放電セルに対応するデータ電極３２にデータ電極駆動部４３を用いて正の書込パルス電圧Ｖｄを印加する。すると走査パルス電圧Ｖａと書込パルス電圧Ｖｄとが同時に印加された１行目の放電セルでは書込み放電が発生し、走査電極２２１および維持電極２３１に壁電荷を蓄積する書込み動作が行われる。
【００３９】
次に、スイッチング回路８０１のスイッチ８１１をオン、スイッチ８２１をオフに戻し、２行目の走査電極２２２に対応するスイッチング回路８０２のスイッチ８１２をオフ、スイッチ８２２をオンにして２行目の走査電極２２２に負の走査パルス電圧Ｖａを印加する。このとき、発光すべき放電セルに対応するデータ電極３２に書込パルス電圧Ｖｄを印加する。すると走査パルス電圧Ｖａと書込パルス電圧Ｖｄとが同時に印加された２行目の放電セルでは書込み放電が発生し、書込み動作が行われる。以上の書込み動作をｎ行目の放電セルに至るまで繰り返し、発光すべき放電セルに対して選択的に書込み放電を発生させ壁電荷を形成する。
【００４０】
続く維持期間では、維持電極駆動部４６のスイッチ９６をオフに、スイッチ９２をオンにして維持電極２３に電圧０ボルトを印加する。そして走査電極駆動部４４のスイッチング回路８０１〜８０ｎのスイッチ８１１〜８１ｎをオフ、スイッチ８２１〜８２ｎをオンにし、スイッチ７２をオフに、スイッチ６１をオンにして、走査電極２２１〜２２ｎに維持パルス電圧Ｖｓを印加する。こうして走査電極２２１〜２２ｎに維持パルス電圧Ｖｓを印加すると、書込み放電を起こした放電セルでは維持放電が起こり発光する。
【００４１】
次に走査電極駆動部４４のスイッチ６１をオフに、スイッチ６２をオンにして走査電極２２１〜２２ｎに電圧０ボルトを印加するとともに、維持電極駆動部４６のスイッチ９２をオフに、スイッチ９１をオンにして維持電極２３１〜２３ｎに維持パルス電圧Ｖｓを印加する。すると維持放電を起こした放電セルでは再び維持放電が起こり発光する。以降同様に、走査電極２２１〜２２ｎと維持電極２３１〜２３ｎとに交互に必要な回数の維持パルスを印加して、放電セルを所定の輝度で発光させる。
【００４２】
続くサブフィールドにおいても上述したサブフィールドの動作と同様の動作を繰り返すことにより放電セルを発光させ、画像を表示している。
【００４３】
以上説明したような走査電極駆動部４４、維持電極駆動部４６およびデータ電極駆動部４３の動作を実行することで、各電極には図４で示したような駆動電圧波形が印加されることとなり、画像に応じた放電セルを発光させてパネル上に画像が表示される。
【００４４】
このようなプラズマディスプレイ装置の駆動動作中において、例えば、スイッチング回路８０１〜８０ｎのうちの１つの出力端子に短絡などが発生すると、書込パルス電圧Ｖｄから短絡したスイッチング回路８０ｘに過大な電流が流れ込むとともに、書込バイアス電源７３の書込バイアス電圧Ｖｓｃの電圧が低下するような状態が発生する。さらに、短絡したスイッチング回路８０ｘが破壊されると、その破壊モードによっては、走査制御回路８５ｘも同時に破壊され、電源ラインを短絡して走査制御電源ＶＺの電源電圧Ｖｄｄ２が低下することがある。すると、正常な走査制御回路８５ｋも動作しなくなり、スイッチング回路８０ｋのスイッチ８１ｋおよびスイッチ８２ｋがともにオフとなる。仮にこの状態で、維持期間において、維持電極２３１〜２３ｎに維持パルスが印加されると、走査電極２２１〜２２ｎと維持電極２３１〜２３ｎとの間の電極間容量、およびダイオード８３ｋを介して書込バイアス電源７３方向に過大な電流が流れ込み、書込バイアス電圧Ｖｓｃを供給する電源ラインの電圧が異常に上昇するような現象が生じる。
【００４５】
本実施の形態のプラズマディスプレイ装置は、このような駆動動作中における電源電圧の異常な低下や上昇が発生した場合でも、パネルへの駆動動作を適切に制御するため、異常検出回路を含む保護機能を有している。以下、駆動動作中における書込バイアス電源７３の書込バイアス電圧Ｖｓｃの異常な低下や上昇が発生した場合でも、パネルへの駆動動作を適切に制御するため設けた異常検出回路７１を含む保護機能の一例を挙げ、その構成およびその動作について説明する。
【００４６】
図６は、走査電極駆動部４４の異常検出回路７１の詳細な構成を示す回路図である。図６において、異常検出回路７１には、回路用電源部としての異常検出回路用電源ＶＤから異常検出回路７１を動作させるための回路用電源電圧としての電源電圧Ｖｄｄ１と、基準電位Ａと絶縁分離された電源電圧Ｖｄｄ３とが供給されている。さらに、異常検出回路７１は、基準電位Ａに接続されるとともに、書込バイアス電源７３からの書込バイアス電圧Ｖｓｃが供給されている。
【００４７】
図６に示す異常検出回路７１において、書込バイアス電源７３からの書込バイアス電圧Ｖｓｃは、分圧回路７１１に供給される。分圧回路７１１は、書込バイアス電圧Ｖｓｃを分圧し、分圧した電圧を検出電圧として出力する。分圧回路７１１は、直列に接続された抵抗器Ｒ１１と抵抗器Ｒ１２とにより構成され、抵抗器Ｒ１１と抵抗器Ｒ１２との接続点であるａ端から検出電圧が出力される。
【００４８】
次に、定電圧回路７１２は、第１の定電圧および第２の定電圧を生成する。定電圧回路７１２は、直列に接続された抵抗器Ｒ１３と抵抗器Ｒ１４とツェナダイオードＤ１とにより構成され、一端が基準電位Ａに接続され、他端に電源電圧Ｖｄｄ１が供給されている。定電圧回路７１２は、このような構成により、抵抗器Ｒ１３と抵抗器Ｒ１４との接続点であるｂ端から第１の定電圧を出力し、抵抗器Ｒ１４とツェナダイオードＤ１との接続点であるｃ端から第２の定電圧を出力する。すなわち、定電圧回路７１２は、定電圧素子であるツェナダイオードＤ１に、電源電圧Ｖｄｄ１から抵抗器Ｒ１３と抵抗器Ｒ１４とを介して所定の電流を供給することにより、ｃ端およびｂ端に一定な電圧を生成している。本実施の形態のプラズマディスプレイ装置における異常検出回路７１では、このような構成の定電圧回路７１２により十分かつ変動のない電流をツェナダイオードＤ１に流しており、これによって、ばらつきや温度変化に影響されにくい安定な第１の定電圧および第２の定電圧を得ている。なお、定電圧回路７１２は、基準電位Ａと電源電圧Ｖｄｄ１との間に、１つの抵抗器と１つのツェナダイオードとを直列接続した回路を２つ設け、第１の定電圧および第２の定電圧を得るような構成であってもよい。また、定電圧回路７１２から出力される第１の定電圧は、異常か正常かを判定するための書込バイアス電圧Ｖｓｃの正常とする上限電圧値に対応し、第２の定電圧は、異常か正常かを判定するための書込バイアス電圧Ｖｓｃの正常とする下限電圧値に対応している。すなわち、第１の定電圧と第２の定電圧とは書込バイアス電圧Ｖｓｃの正常な電圧範囲とする電圧許容範囲に対応しており、第１の定電圧により、駆動用電源電圧である書込バイアス電圧Ｖｓｃの正常とする上限電圧が設定され、第２の定電圧により、駆動用電源電圧である書込バイアス電圧Ｖｓｃの正常とする下限電圧が設定される。
【００４９】
次に、分圧回路７１１からの検出電圧と定電圧回路７１２からの第１の定電圧は、第１のコンパレータＣＭＰ１に供給され、また、分圧回路７１１からの検出電圧と定電圧回路７１２からの第２の定電圧は、第２のコンパレータＣＭＰ２に供給される。図６では、コンパレータＣＭＰ１およびコンパレータＣＭＰ２のー入力の電圧が＋入力の電圧よりも高いときローレベルの信号を出力し、ー入力の電圧が＋入力の電圧よりも低いときハイレベルの信号を出力するようなコンパレータの一例を示している。コンパレータＣＭＰ１は、検出電圧と第１の定電圧とを比較し、検出電圧が第１の定電圧以下あるいは未満のときにはローレベルの信号を出力するとともに、検出電圧が第１の定電圧以上になるときには、電圧変化を検出したとする第１の検出信号としてのハイレベルの信号を出力する。コンパレータＣＭＰ２は、検出電圧と第２の定電圧とを比較し、検出電圧が第２の定電圧以上のときにはローレベルの信号を出力するとともに、検出電圧が第１の定電圧以下あるいは未満になるときには、電圧変化を検出したとする第２の検出信号としてのハイレベルの信号を出力する。本実施の形態のプラズマディスプレイ装置における異常検出回路７１では、急峻なスイッチング特性を有するこのようなコンパレータを利用した構成であるため、検出電圧が判定レベルに対応した第１の定電圧や第２の定電圧を超えたかどうかを、ばらつくことなく正確に判定できる。
【００５０】
次に、コンパレータＣＭＰ１およびコンパレータＣＭＰ２から出力された信号は、判定回路７１３に供給される。判定回路７１３は、第１の検出信号および第２の検出信号の少なくともいずれか一方の信号が電圧変化の検出を示すとき、異常を検出したと判定し、電圧異常検出信号を出力する。図６では、このような判定回路７１３の構成例として、コンパレータＣＭＰ１の出力がベースに接続されたトランジスタＱ１と、コンパレータＣＭＰ２の出力がベースに接続されたトランジスタＱ２とを有し、トランジスタＱ１およびトランジスタＱ２のエミッタがそれぞれ基準電位Ａに接続され、さらに、トランジスタＱ１およびトランジスタＱ２のコレクタが互いにｄ端にて接続された回路を挙げている。また、電源電圧Ｖｄｄ１が、抵抗器Ｒ１５およびフォトカプラＰＣ１の発光ダイオードＰＤを介して、互いに接続されたコレクタに供給されている。このような構成により、コンパレータＣＭＰ１およびコンパレータＣＭＰ２から出力された信号がともにローレベルであるときには、トランジスタＱ１およびトランジスタＱ２はどちらもオフ状態となり、ｄ端はハイレベルとなる。一方、コンパレータＣＭＰ１およびコンパレータＣＭＰ２から出力された信号の少なくとも一方の信号がハイレベルであるときには、少なくとも一方のトランジスタがオン状態となるため、ｄ端はローレベルとなる。すなわち、このような判定回路７１３の構成により、第１の検出信号および第２の検出信号の少なくとも一方の信号が電圧変化の検出を示すハイレベルとなるとき、ｄ端には、ローレベルとなることで異常の検出を示すような電圧異常検出信号を出力することができる。
【００５１】
ところで、上述したように図６に示す異常検出回路７１では、異常が検出されていない通常の場合、トランジスタＱ１およびトランジスタＱ２はどちらもオフ状態となっている。さらに、トランジスタＱ１およびトランジスタＱ２がともにオフ状態であると、発光ダイオードＰＤには電流が流れず、これによって発光ダイオードＰＤもオフ状態となっている。このため、異常が検出されていない通常の場合、トランジスタＱ１およびトランジスタＱ２のコレクタが互いに接続されたｄ端はハイインピーダンス状態となっている。このようなハイインピーダンス状態の箇所は信号の流れ込み先がない状態であり、ノイズなどの影響を受けやすい。特に、プラズマディスプレイ装置ではパネルに設けられた多数の電極に図４で示したような高電圧のパルス状の駆動電圧波形を印加して画像表示を行うため、装置内部では多数のパルス状の信号が発生することとなる。これらパルス状の信号は図６のｄ端のようなハイインピーダンス状態の箇所にノイズとして重畳しやすく、その結果、重畳したノイズにより異常検出回路７１の誤動作を招くこととなる。
【００５２】
このため、本実施の形態のプラズマディスプレイ装置の異常検出回路７１は、一端が判定回路７１３の出力に接続され、他端が異常検出回路用電源ＶＤの出力の一方である基準電位Ａに接続され、判定回路７１３の出力に重畳されたノイズを除去するためのキャパシタＣ１を備える。すなわち、異常検出回路７１では、図６に示すようにｄ端と基準電位Ａとの間にキャパシタＣ１を備えた構成としている。このような一端をｄ端に接続し他端を基準電位Ａに接続したキャパシタＣ１を設けることで、ハイインピーダンス状態のｄ端に重畳したノイズの交流成分がキャパシタＣ１を介して基準電位Ａへと流れ込むこととなり、ノイズによる誤動作などを抑制できる。
【００５３】
また、ハイインピーダンス状態のｄ端にノイズあるいはその他の原因で、直流成分が重畳あるいは印加されると、その直流成分の流れ込み先がないため、その直流成分がキャパシタＣ１に蓄積されることとなる。このようなハイインピーダンス状態のｄ端に生じた直流成分によっても異常検出回路７１の誤動作を招くおそれがある。さらに、その直流成分の電圧が、ｄ端で接続される発光ダイオードＰＤやトランジスタＱ１およびトランジスタＱ２などの耐圧に比べて高電圧であるような場合、これらの素子が電気的に破壊されるおそれもある。
【００５４】
このため、本実施の形態のプラズマディスプレイ装置の異常検出回路７１は、一端が判定回路７１３の出力に接続され、他端が異常検出回路用電源ＶＤの出力の他方である電源電圧Ｖｄｄ１に接続され、判定回路７１３の出力電圧を所定の電圧範囲に制限するためのダイオードＤ２を備える。すなわち、異常検出回路７１では、図６に示すようにｄ端と電源電圧Ｖｄｄ１との間にさらにダイオードＤ２を備えた構成としている。このようなアノード側をｄ端に接続しカソード側を電源電圧Ｖｄｄ１に接続したダイオードＤ２を設けることで、ハイインピーダンス状態のｄ端に直流成分が生じた場合、その直流成分の電圧が電源電圧Ｖｄｄ１の電圧に比べて高電圧であると、その直流成分による電流が電源電圧Ｖｄｄ１へと流れ込むため、ｄ端の電圧は電源電圧Ｖｄｄ１を超えないように電圧制限されることとなる。このため、判定回路７１３の出力電圧は、基準電位Ａから電源電圧Ｖｄｄ１近辺までとする所定の電圧範囲に制限される。よって、ハイインピーダンス状態のｄ端に何らかの原因で高電圧の直流成分が印加されるようなことが生じたとしても、ダイオードＤ２により電源電圧Ｖｄｄ１近辺の低電圧に抑えられることとなり、異常検出回路７１を構成する素子の破壊を抑制することが可能となる。
【００５５】
なお、判定回路７１３の出力であるｄ端に高電圧の直流成分が印加されるような場合の一例として、例えば、プラズマディスプレイ装置を製造する組立工程や検査工程などにおいて印加される場合があり得る。すなわち、製造の各工程においては、製造機器や検査機器などが使用されており、これらの機器の接地状態が悪いと機器の筐体などに静電気などの電荷が蓄えられる可能性があり、例えば、このような電荷を蓄えた検査機器を用いて検査したり、このような電荷を蓄えた製造機器との接触などにより、機器に蓄えられた電荷がキャパシタＣ１に蓄積されるような不都合が発生する可能性がある。上述したように、判定回路７１３の出力であるｄ端は通常ハイインピーダンス状態であるため、キャパシタＣ１はこのような電荷を蓄積し続けることとなり、この蓄積された電荷の電圧が高電圧であると上述したようにトランジスタなどの素子を破壊するおそれがある。このため、異常検出回路７１にダイオードＤ２を設けることにより、このような製造工程などで発生し判定回路７１３の出力に漏れ込むような電荷による電圧を制限し、トランジスタなどの素子の破壊を防止している。
【００５６】
また、フォトカプラＰＣ１のフォトトランジスタＰＴのコレクタは、電源電圧Ｖｄｄ３に接続され、エミッタは抵抗器Ｒ２１を介して接地電位に接続されている。また、エミッタと抵抗器Ｒ２１との接続点から異常検出信号ＳＯＳが出力される。すなわち、コンパレータＣＭＰ１からの第１の検出信号およびコンパレータＣＭＰ２からの第２の検出信号の少なくとも一方の信号が電圧変化の検出を示すハイレベルとなるとき、ｄ端はローレベルとなるため、発光ダイオードＰＤに電流が流れ、この発光ダイオードＰＤが発光する。これに応じてフォトトランジスタＰＴはオン状態となるため、ハイレベルの異常検出信号ＳＯＳを出力する。
【００５７】
なお、図６では、コンパレータＣＭＰ１とトランジスタＱ１、およびコンパレータＣＭＰ２とトランジスタＱ２のそれぞれが個別に構成された一例を挙げて説明したが、より具体的な他の例として、例えば、出力がオープンコレクタであるようなコンパレータを利用できる。図７は、このような出力がオープンコレクタであるコンパレータＣＭＰ１１およびコンパレータＣＭＰ１２を用いて構成した異常検出回路７１の他の構成例を示す回路図である。図７では、コンパレータＣＭＰ１１およびコンパレータＣＭＰ１２において、ー入力の電圧が＋入力の電圧よりも高いとき、出力がローレベルとなり、ー入力の電圧が＋入力の電圧よりも低いとき、出力がハイインピーダンスとなるようなコンパレータの一例を示している。また、このようなコンパレータＣＭＰ１１およびコンパレータＣＭＰ１２を用いて、図７に示すような構成とすることにより、コンパレータＣＭＰ１１とコンパレータＣＭＰ１２との出力を単にｄ端で接続することで判定回路７１３が構成できる。すなわち、コンパレータＣＭＰ１１において、検出電圧が第１の定電圧以上になるときにはｄ端がローレベルとなる。また、コンパレータＣＭＰ１２において、検出電圧が第２の定電圧以下あるいは未満になるときにもｄ端がローレベルとなる。このように、図７に示すような構成でも、図６の構成と同様に、フォトトランジスタＰＴのエミッタからハイレベルの異常検出信号ＳＯＳを出力することができる。
【００５８】
以下、本実施の形態のプラズマディスプレイ装置における異常検出回路７１の動作について説明する。まず、分圧回路７１１において、抵抗器Ｒ１１と抵抗器Ｒ１２とは、書込バイアス電圧Ｖｓｃから分圧した検出電圧が、第１の定電圧および第２の定電圧に対応するように抵抗値を設定している。すなわち、例えば、書込バイアス電圧Ｖｓｃの電圧許容範囲としてその上限電圧値を１１０ボルトとし、下限電圧値を９０ボルトとする場合、書込バイアス電圧Ｖｓｃを分圧回路７１１により例えば分圧比１０分の１に分圧する。これにより、検出電圧が１１ボルト以上となる場合、または検出電圧が９ボルト以下になる場合に異常を検出したとすることができる。また、このような分圧回路７１１の分圧比に従って、定電圧回路７１２において、第１の定電圧を１１ボルトとし、第２の定電圧を９ボルトとする。
【００５９】
このように設定された異常検出回路７１において、書込バイアス電圧Ｖｓｃが下限電圧値から上限電圧値までの範囲内となるような正常な電圧値であれば、コンパレータＣＭＰ１は、検出電圧が第１の定電圧以下あるいは未満であるため、ローレベルの信号を出力する。また、コンパレータＣＭＰ２も、検出電圧が第２の定電圧以上であるため、ローレベルの信号を出力する。よって、判定回路７１３のトランジスタＱ１およびトランジスタＱ２はどちらもオフ状態となり、発光ダイオードＰＤには電流が流れず、発光しない状態となっている。このため、フォトトランジスタＰＴはオフ状態となり、異常検出信号ＳＯＳは正常であることを示すローレベルとなっている。
【００６０】
ところが、例えば、走査電極駆動部４４で駆動動作の異常などが発生し、書込バイアス電圧Ｖｓｃの電圧値が上限電圧値を超えた場合、検出電圧が第１の定電圧を超えることとなるため、コンパレータＣＭＰ１がハイレベルの信号を出力する。すると、判定回路７１３のトランジスタＱ１はオン状態となり、発光ダイオードＰＤに電流が流れ、発光状態となる。このため、フォトトランジスタＰＴはオン状態となり、異常検出信号ＳＯＳは異常であることを示すハイレベルとなる。また、書込バイアス電圧Ｖｓｃの電圧値が下限電圧値よりも下がった場合、検出電圧が第２の定電圧よりも下がることとなるため、コンパレータＣＭＰ２がハイレベルの信号を出力する。すると、判定回路７１３のトランジスタＱ２はオン状態となり、発光ダイオードＰＤに電流が流れ、発光状態となる。このため、フォトトランジスタＰＴはオン状態となり、異常検出信号ＳＯＳは異常であることを示すハイレベルとなる。このように、異常検出回路７１は、書込バイアス電圧Ｖｓｃの電圧値が所定の上限電圧値を超えたり、あるいは書込バイアス電圧Ｖｓｃの電圧値が所定の下限電圧値よりも下がったとき、異常を検出したとする異常検出信号ＳＯＳを出力する。
【００６１】
異常検出信号ＳＯＳは、図３に示したタイミング発生部４８に通知される。タイミング発生部４８は、通知された異常検出信号ＳＯＳに基づき、異常検出信号ＳＯＳが異常を検出したことを示すとき、走査電極駆動部４４の駆動動作を停止させたり、本プラズマディスプレイ装置の画像表示動作を停止するなどの保護動作を行う。
【００６２】
なお、以上の説明では、走査電極駆動部４４の走査パルス発生回路７０に印加する書込バイアス電圧Ｖｓｃの異常を検出する異常検出回路７１を備えたプラズマディスプレイ装置を例に挙げて説明したが、走査電極駆動部４４のその他の駆動用電源や電源に対しても、上述したような構成の異常検出回路が設けられた構成であってもよい。さらに、走査電極駆動部４４以外の電極駆動部である維持電極駆動部４６やデータ電極駆動部４３に設けられた駆動用電源部の駆動用電源電圧の異常を検出するため、上述したような構成の異常検出回路が設けられた構成であってもよい。これによって、それぞれの電源に対応させて電源電圧の異常を検出でき、さらに異常検出に基づいて適切に電源やそれに接続された回路などの保護を図ることができる。
【００６３】
以上説明したように、本発明のプラズマディスプレイ装置は、駆動用電源部の１つである書込バイアス電源７３から供給する駆動用電源電圧としての書込バイアス電圧Ｖｓｃの異常を検出する異常検出回路７１を有しており、さらに、異常検出回路７１が、書込バイアス電源７３の書込バイアス電圧Ｖｓｃを分圧し、分圧した電圧を検出電圧として出力する分圧回路７１１と、第１の定電圧および第２の定電圧を生成する定電圧回路７１２と、分圧回路７１１からの検出電圧と定電圧回路７１２からの第１の定電圧とを比較し、検出電圧が第１の定電圧以上になるとき、電圧変化を検出したとする第１の検出信号を出力する第１のコンパレータＣＭＰ１と、分圧回路７１１からの検出電圧と定電圧回路７１２からの第２の定電圧とを比較し、検出電圧が第２の定電圧以下になるとき、電圧変化を検出したとする第２の検出信号を出力する第２のコンパレータＣＭＰ２と、第１の検出信号および第２の検出信号の少なくとも一方の信号が電圧変化の検出を示すとき、異常を検出したと判定し、電圧異常検出信号を出力する判定回路７１３と、一端が判定回路７１３の出力に接続され、他端が基準電位Ａに接続され、判定回路７１３の出力に重畳されたノイズを除去するためのキャパシタＣ１と、一端が判定回路７１３の出力に接続され、他端が電源電圧Ｖｄｄ１に接続され、判定回路７１３の出力電圧を所定の電圧範囲に制限するためのダイオードＤ２とを備え、異常検出回路７１において、判定回路７１３のキャパシタＣ１によりノイズを除去されかつダイオードＤ２により電圧制限された電圧異常検出信号が異常の検出を示すとき、電極駆動部の駆動動作を停止するように構成している。このため、異常と判定するために利用する上限電圧値や下限電圧値に対応した判定レベルとなる第１の定電圧および第２の定電圧が、安定した動作状態の定電圧回路により決定される。これとともに、コンパレータＣＭＰ１およびコンパレータＣＭＰ２による急峻なスイッチング特性により、検出電圧が判定レベルとなる第１の定電圧および第２の定電圧を超えたかどうかを判定できるため、異常と判定するための上限電圧値や下限電圧値を正確に設定できる。さらに、判定回路７１３の出力に接続されたキャパシタＣ１により、高電圧パルスなどの影響によるノイズを除去できるとともに、判定回路７１３の出力に接続されたダイオードＤ２により判定回路７１３の出力電圧を所定の電圧範囲に制限できるため、判定回路７１３の出力電圧が周辺の高電圧の影響を受けて異常に上昇することを防止でき、判定回路７１３を含めて異常検出回路７１を構成する回路素子を保護することができる。このように、本発明のプラズマディスプレイ装置によれば、異常と判定するための上限電圧値や下限電圧値を正確に設定できる高電圧の異常検出機能を有した保護機能を備えるとともに、この異常検出機能においても、容易に実現可能な高電圧からの保護を図る機能を備えたプラズマディスプレイ装置を提供することができる。
【産業上の利用可能性】
【００６４】
本発明は、万一、走査パルス発生回路など電源電圧に異常が発生しても、プラズマディスプレイ装置の駆動動作や画像表示動作などを停止し、異常現象から電源回路や電子部品を不都合なく保護することができるので、保護機能を備えたプラズマディスプレイ装置として有用である。
【図面の簡単な説明】
【００６５】
【図１】本発明の実施の形態のプラズマディスプレイ装置におけるパネルの分解斜視図
【図２】同プラズマディスプレイ装置におけるパネルの電極配列図
【図３】同プラズマディスプレイ装置のブロック図
【図４】同プラズマディスプレイ装置におけるパネルの各電極に印加する駆動電圧波形図
【図５】同プラズマディスプレイ装置の走査電極駆動部および維持電極駆動部の回路図
【図６】同プラズマディスプレイ装置の走査電極駆動部の異常検出回路の詳細な回路図
【図７】同プラズマディスプレイ装置の走査電極駆動部の異常検出回路の他の回路図
【符号の説明】
【００６６】
１０    プラズマディスプレイパネル（パネル）
２１    前面基板
２２    走査電極
２３    維持電極
２４    誘電体層
２５    保護層
３１    背面基板
３２    データ電極
３３    絶縁体層
３４    隔壁
３５    蛍光体層
４２    画像信号処理部
４３    データ電極駆動部
４４    走査電極駆動部
４６    維持電極駆動部
４８    タイミング発生部
５０    初期化電圧発生回路
５１，５２    ミラー積分回路
６０    走査電極側維持パルス発生回路（維持パルス発生回路）
６１，６２，７２，８１，８２，９１，９２，９６    スイッチ
６３，９３    電力回収回路
７０    走査パルス発生回路
７１    異常検出回路
７３    書込バイアス電源
８０    スイッチング回路
８３，８４    ダイオード
８５    走査制御回路
９０    維持電極側維持パルス発生回路（維持パルス発生回路）
９５    Ｖｅ電圧印加回路
１００    プラズマディスプレイ装置
７１１    分圧回路
７１２    定電圧回路
７１３    判定回路
【図１】
0005245198.tif 000002
【図２】
0005245198.tif 000003
【図３】
0005245198.tif 000004
【図４】
0005245198.tif 000005
【図５】
0005245198.tif 000006
【図６】
0005245198.tif 000007
【図７】
0005245198.tif 000008